(57)【要約】【課題】タバコの火などの局部的な過度の熱により高圧電線の被覆が焼けて電線へ貫通することのない、難燃性が高く、耐久性のある施工作業容易で柔軟な電線保護カバーを提供する。【解決手段】電線保護カバー１を難燃性合成樹脂層４の内部に不燃材料層５を埋設した管状体を軸方向に背割りして形成する。難燃性合成樹脂層４を幅広の難燃性合成樹脂テープを螺旋状に捲回して形成し、不燃材料層５を難燃性合成樹脂テープの重合部間に不燃材料製テープを挟持させつつ螺旋状に捲回して形成する。【選択図】          図１
2004208346.tif 000002
【特許請求の範囲】
【請求項１】
難燃性合成樹脂層の内部に不燃材料層を埋設して形成した管状体を軸方向に背割りしてなる保護カバーであって、幅広の難燃性合成樹脂テープを隣接する側縁同士を重合しつつ螺旋状に捲回して接合することにより難燃性合成樹脂層を形成し、前記難燃性合成樹脂テープの重合部間に不燃材料製テープを挟持させつつ螺旋状に捲回することにより不燃材料層を形成した電線保護カバー。
【請求項２】
難燃性合成樹脂層の内部に不燃材料層を埋設して形成した管状体を軸方向に背割りしてなる保護カバーであって、幅広の内壁形成用難燃性合成樹脂テープを隣接する側縁同士を重合しつつ螺旋状に捲回して接合することにより難燃性合成樹脂層の内層を形成し、前記内層の外側に幅広の外壁形成用難燃性合成樹脂テープを隣接する側縁同士を重合しつつ螺旋状に捲回して接合することにより難燃性合成樹脂層の外層を形成し、前記外壁形成用難燃性合成樹脂テープと前記内壁形成用難燃性合成樹脂テープとの間に不燃材料製テープを挟持させつつ螺旋状に捲回することにより不燃材料層を形成した電線保護カバー。
【請求項３】
不燃材料製テープを外壁形成用難燃性合成樹脂テープの重合部間にも挟持させて螺旋状に捲回した請求項２記載の電線保護カバー。
【発明の詳細な説明】
【０００１】
【発明の属する技術分野】
本発明は、電車の線路等に敷設された高圧電線において、タバコなどの投げ捨てによる火が原因で高圧電線の被覆が焼けて貫通するなどの破損を防ぐ為に用いられる電線保護カバーに関するものである。
【０００２】
【従来の技術】
近年、電車のプラットホームにおいてタバコなどの投げ捨てが原因で電車の線路等に使用される高圧電線の被覆が貫通するという問題がある。そのため、電線等を難燃性の電線保護管に収容して保護することが考えられ、例えば、特開２０００−８８１４７号公報のような外層と潤滑層で構成されたエンジニアリングプラスッチクからなる非ハロゲン系難燃剤を用いた難燃性の電線保護管を用いることが検討された。
【０００３】
【発明が解決しようとする課題】
しかしながら、上記の電線保護管は、外力により外層が破損した場合、極端に難燃性が悪くなる問題がある。
【０００４】
また、電線保護管内に電線を収容する際、管内に高圧電線を挿通する必要があるなど施工作業が煩わしくなる問題がある。
【０００５】
本発明は、上記問題に鑑み、タバコの火などの局部的な過度の熱により高圧電線の被覆が焼けて電線へ貫通することのない、難燃性が高く、耐久性があり、かつ施工作業が容易で柔軟な電線保護カバーを提供することを課題とするものである。
【０００６】
【課題を解決するための手段】
本発明は、上記課題を解決するため、難燃性合成樹脂層の内部に不燃材料層を埋設して形成した管状体を軸方向に背割りしてなる保護カバーであって、幅広の難燃性合成樹脂テープを隣接する側縁同士を重合しつつ螺旋状に捲回して接合することにより難燃性合成樹脂層を形成し、前記難燃性合成樹脂テープの重合部間に不燃材料製テープを挟持させつつ螺旋状に捲回することにより不燃材料層を形成したものである（請求項１）。また、難燃性合成樹脂層の内部に不燃材料層を埋設して形成した管状体を軸方向に背割りしてなる保護カバーであって、幅広の内壁形成用難燃性合成樹脂テープを隣接する側縁同士を重合しつつ螺旋状に捲回して接合することにより難燃性合成樹脂層の内層を形成し、前記内層の外側に幅広の外壁形成用難燃性合成樹脂テープを隣接する側縁同士を重合しつつ螺旋状に捲回して接合することにより難燃性合成樹脂層の外層を形成し、前記外壁形成用難燃性合成樹脂テープと前記内壁形成用難燃性合成樹脂テープとの間に不燃材料製テープを挟持させつつ螺旋状に捲回することにより不燃材料層を形成することもできる（請求項２）。また、不燃材料製テープを外壁形成用難燃性合成樹脂テープの重合部間にも挟持させて螺旋状に捲回することもできる（請求項３）。
【０００７】
【発明の実施の形態】
以下、本発明の電線保護カバーの実施形態について、添付図面を参照して説明する。
【０００８】
図１は本発明に係る電線保護カバーの一実施例を示す斜視図、図２は側面図であり、電線保護カバー１は、難燃性合成樹脂層４の内部に不燃材料層５を埋設させて螺旋状に捲回して形成した管状体を軸方向に沿って背割りされて構成されている。難燃性合成樹脂層４は幅広の難燃剤を配合したポリエチレン（ＬＤＰＥ）テープ２を螺旋状に捲回して形成されている。また、不燃材料層５は金属箔製テープ３を螺旋状に捲回して形成されている。
【０００９】
図３は図２の一部拡大断面図であり、難燃性合成樹脂層４は幅広のＬＤＰＥテープ２の側縁同士を十分オーバーラップさせて螺旋状に捲回して形成され、不燃材料層５はＬＤＰＥテープ２の重合部７間に金属箔製テープ３を配置して螺旋状に捲回されて形成されている。幅広のＬＤＰＥテープ２は螺旋状に捲回する際、互いに隣接する側縁部６同士が熱融着により固着されている。金属箔製テープ３は幅広のＬＤＰＥテープ２の側縁部６同士が熱融着されていることにより、その重合部７の間に非接着状態で挟持されている。
【００１０】
図４は本発明に係る電線保護カバーの他の実施例を示す一部拡大断面図であり、前記実施例とは難燃性合成樹脂層４を内層８と外層９の多層構造とする点で異なるものである。すなわち、難燃性合成樹脂層４は内壁形成用ＬＤＰＥテープ２１と外壁形成用ＬＤＰＥテープ２２の２枚のテープが各々螺旋状に捲回されて内層８及び外層９が形成されている。内層８を形成する内壁形成用ＬＤＰＥテープ２１は螺旋状に捲回する際、互いに隣接する側縁部６ａ同士で熱融着されている。また、外層９を形成する外壁形成用ＬＤＰＥテープ２２は内壁形成用ＬＤＰＥテープ２１の外側に配置されており、螺旋状に捲回する際、互いに隣接する側縁部６ｂ同士で熱融着されている。と同時に外壁形成用ＬＤＰＥテープ２２と内壁形成用ＬＤＰＥテープ２１が直接重なる側縁部６ｃにおいても熱融着されている。不燃材料層５は金属箔製テープ３が内壁形成用ＬＤＰＥテープ２１と外壁形成用ＬＤＰＥテープ２２の重合部７ａの間に非接着状態で挟持されながら、螺旋状に捲回されて形成されている。
【００１１】
図５は本発明に係る電線保護カバーのさらに他の実施例を示す一部拡大断面図であり、図４の金属箔製テープ３をより幅広にし、金属箔製テープ３が外壁形成用ＬＤＰＥテープ２２の隣接する側縁部６ｂ同士の重合部７ｂにも延設されて非接着状態で挟持されているものである。その他の構成は図４と同じなので同一の符号を付すがその説明は省略する。本実施例によれば、不燃材料層５が軸方向のすべての部分に存在し途切れることがない。
【００１２】
なお、本発明は前記実施例に限定されず、不燃性テープは金属箔製テープに限定するものではなく、例えばガラスクロスのような不燃性の網状体でもよい。
【００１３】
【発明の効果】
本発明は、以上説明したように構成されているので、以下のような効果を奏する。
【００１４】
本発明によれば、中間層を不燃材料層で形成することでタバコの火などの局部的な過度の熱により難燃性の外面が溶けたとしても不燃性の中間層は溶けることはなく電線への貫通を防ぐことができる。また、背割り構造にすることで電線保護カバーの交換作業や後付け作業などの施工作業が容易にできる。
【図面の簡単な説明】
【図１】本発明に係る電線保護カバーの一実施例を示す斜視図。
【図２】本発明に係る電線保護カバーの一実施例を示す側面図。
【図３】図２の一部拡大断面図。
【図４】本発明に係る電線保護カバーの他の実施例を示す一部拡大断面図。
【図５】本発明に係る電線保護カバーの他の実施例を示す一部拡大断面図。
【符号の説明】
１  電線保護カバー
２  ポリエチレン（ＬＤＰＥ）テープ
３  金属箔製テープ
４  難燃性合成樹脂層
５  不燃材料層
６，６ａ，６ｂ，６ｃ  側縁部
７，７ａ，７ｂ  重合部
８  内層
９  外層
２１  内壁形成用ＬＤＰＥテープ
２２  外壁形成用ＬＤＰＥテープ
【図１】
2004208346.tif 000003
【図２】
2004208346.tif 000004
【図３】
2004208346.tif 000005
【図４】
2004208346.tif 000006
【図５】
2004208346.tif 000007